(57)【要約】【課題】幅広水路への適用を可能とし、耐久性及び処理効率を向上する。【解決手段】前面側２４５ａが略楕円形状の短軸側形状、これに続く破砕機側の側面側２４５ｂが破砕機に夾雑物を導く形状を成し複数が上下に離間並設されて裏面側が開放された固定式バースクリーン２４５の目の間を、各レーキ４６が移動し、スクリーン２４５の外周縁からレーキ４６先端が出没するようにする。このため、スクリーン２４５は、レーキ４６の出没に干渉しないその両端部側で支持されることになり、スクリーン２４５を円弧形状とし両端部側を支持する場合に比して撓み難く長尺化される。また、スクリーン２４５は固定のため剛性が向上する。また、スクリーン２４５裏面側は開放のため夾雑物の滞留が無いと共に被処理水が容易に通過し、且つ、スクリーン２４５は網状ではなくスクリーン２４５に捕集された夾雑物はレーキ４６により掻き寄せられるため夾雑物の絡み付きが無い。【選択図】図４
2006212631.tif 000002
【特許請求の範囲】
【請求項１】
被処理水中の夾雑物を捕集すると共にこの捕集された夾雑物を水路を横断する方向に移送するスクリーン装置と、このスクリーン装置により移送された夾雑物を破砕する破砕機とが、前記水路を横断するように並設された夾雑物処理装置において、
前記スクリーン装置は、
平面視において前記水路に対する前面側が略楕円形状の短軸側形状を成すと共に前記前面側に続く破砕機側の側面側が前記破砕機に夾雑物を導く形状を成し、上下方向に複数が互いに離間して並設されて裏面側が開放された固定式のバースクリーンと、
上下方向に複数が互いに離間して並設されて各々が前記バースクリーンの目の間を移動し、その先端部が前記バースクリーンの外周縁から出没し当該バースクリーンに捕集された夾雑物を掻き寄せて前記破砕機へ移送するレーキと、
を備えることを特徴とする夾雑物処理装置。
【請求項２】
前記バースクリーンの裏面側に、
中心に配設される太陽歯車、この太陽歯車より外側に配設される外歯車、両歯車に噛合するように配設される遊星歯車、これらの歯車を支持すると共に前記太陽歯車を中心として回転駆動されるキャリヤを有する遊星歯車機構と、上下方向及び半径方向に延在すると共に前記外歯車の回転が伝達される移動体と、を具備し、
前記レーキは、前記移動体の外側部分に設けられ、前記遊星歯車機構の駆動により平面視において略楕円形状の周回軌道を一方向に移動することを特徴とする請求項１記載の夾雑物処理装置。
【請求項３】
前記バースクリーン及び前記レーキは各々、複数個が一ブロックとされて複数ブロックが上下に並設されていることを特徴とする請求項１又は２記載の夾雑物処理装置。
【発明の詳細な説明】
【技術分野】
【０００１】
本発明は、汚水等の被処理水中の夾雑物を捕集・破砕する夾雑物処理装置に関する。
【背景技術】
【０００２】
夾雑物を含む汚水等の被処理水が汚水処理施設に流入すると、ポンプ等の機器の詰まりや破損等のトラブルを生じる虞がある。このため、従来にあっては、水路のポンプ等の機器前段に、被処理中の夾雑物を捕集・破砕する夾雑物処理装置を設置している。
【０００３】
この夾雑物処理装置としては、駆動軸及び従動軸の各々に多段にスプロケットを固定し、平面視において略長円形状を成すように駆動軸及び従動軸の各スプロケットに無終端メッシュスクリーンを各々巻き掛けて多段メッシュスクリーンとし、これと破砕機とを水路を横断するように並設して、被処理水中の夾雑物を、略長円形状の周回軌道を移動するメッシュスクリーンで捕捉し、このメッシュスクリーンが駆動軸のスプロケットを巻き込むように通過する際に当該メッシュスクリーンから夾雑物を除去して破砕機へ移送し、当該破砕機で細かく破砕して被処理水中に分散させるものが知られている（例えば、特許文献１参照）。
【特許文献１】特開平７−１３２２４３号公報
【発明の開示】
【発明が解決しようとする課題】
【０００４】
上記夾雑物処理装置は、メッシュスクリーンが巻き掛けられる駆動軸と従動軸との間の距離を長くすることで、最近望まれている幅広水路に対する適用が可能である一方で、以下の各種問題が指摘されている。
【０００５】
夾雑物を捕捉する無終端メッシュスクリーンが移動することから、当該メッシュスクリーンの距離が長くなると剛性を高めるのが難しく、容易に損傷し耐久性が悪い。
【０００６】
無終端メッシュスクリーンが水路を二重に遮るため、被処理水の通過が妨げられて水位が上昇すると共に、メッシュスクリーンの前面側を通過した夾雑物はメッシュスクリーンの後面側から出ていくのが難しく当該メッシュスクリーン内に滞留し増加し続け、これらの結果、処理効率が低下する。
【０００７】
無終端メッシュスクリーンは網状に組み込まれたベルト面であるため、その凹凸に夾雑物が絡み付き易くて一旦絡み付くと解し難く、処理効率が一層低下する。
【０００８】
本発明は、このような課題を解決するために成されたものであり、スクリーンの長尺化が可能とされて幅広水路に対して適用されること、スクリーンの剛性が高められて耐久性が向上されること、被処理水がスクリーンを容易に通過し、且つ、スクリーンに夾雑物が滞留しないと共に夾雑物が絡み付き難く、処理効率が向上されること、を全て満たす夾雑物処理装置を提供することを目的とする。
【課題を解決するための手段】
【０００９】
本発明による夾雑物処理装置は、被処理水中の夾雑物を捕集すると共にこの捕集された夾雑物を水路を横断する方向に移送するスクリーン装置と、このスクリーン装置により移送された夾雑物を破砕する破砕機とが、水路を横断するように並設された夾雑物処理装置において、スクリーン装置は、平面視において水路に対する前面側が略楕円形状の短軸側形状を成すと共に前面側に続く破砕機側の側面側が破砕機に夾雑物を導く形状を成し、上下方向に複数が互いに離間して並設されて裏面側が開放された固定式のバースクリーンと、上下方向に複数が互いに離間して並設されて各々がバースクリーンの目の間を移動し、その先端部がバースクリーンの外周縁から出没し当該バースクリーンに捕集された夾雑物を掻き寄せて破砕機へ移送するレーキと、を備えることを特徴としている。
【００１０】
このように構成された夾雑物処理装置によれば、固定式のバースクリーンの平面視において水路に対する前面側が略楕円形状の短軸側形状とされ、これに続く破砕機側の側面側が破砕機に夾雑物を導く形状を成し、複数が上下に離間並設されて裏面側が開放された固定式バースクリーンの目の間を、各レーキが移動し、スクリーンの外周縁からレーキ先端が出没し、当該バースクリーンに捕集された夾雑物を掻き寄せて破砕機へ移送するため、固定式バースクリーンは、各レーキの出没に干渉しないその両端部側で支持されることになり、スクリーンを円弧形状として両端部側を支持する場合に比して当該スクリーンが撓み難く、スクリーンの長尺化が図られる。また、バースクリーンは固定されているため、剛性を高めるのが可能とされる。また、バースクリーンの裏面側は開放されているため、スクリーンには夾雑物が滞留しないと共に被処理水が容易に通過する。また、バースクリーンは網状ではなく当該バースクリーンに捕集された夾雑物がレーキにより掻き寄せられるため、バースクリーンには夾雑物が絡み付き難くされる。
【００１１】
ここで、バースクリーンの裏面側に、中心に配設される太陽歯車、この太陽歯車より外側に配設される外歯車、両歯車に噛合するように配設される遊星歯車、これらの歯車を支持すると共に太陽歯車を中心として回転駆動されるキャリヤを有する遊星歯車機構と、上下方向及び半径方向に延在すると共に外歯車の回転が伝達される移動体と、を具備し、レーキは、移動体の外側部分に設けられ、遊星歯車機構の駆動により平面視において略楕円形状の周回軌道を一方向に移動する構成とすると、当該レーキの平面視における略楕円形状の周回軌道の一方向移動により、レーキの先端部が、平面視において前面側が略楕円形状の短軸側形状を成すバースクリーンの外周縁から出没し当該バースクリーンに捕集された夾雑物を掻き寄せて破砕機へ移送することが実現可能とされる。
【００１２】
また、上記バースクリーン及びレーキは各々、複数個が一ブロックとされて複数ブロックが上下に並設されていると、例えば、水路に応じた高さ変更が容易とされると共にその一部が破損した場合の交換も容易とされる。
【発明の効果】
【００１３】
このように本発明による夾雑物処理装置によれば、スクリーンの長尺化が図られ、幅広水路に対する適用が可能となる。また、剛性が高められ、耐久性を向上することが可能となる。また、被処理水がスクリーンを容易に通過し、且つ、スクリーンに夾雑物が滞留しないと共に夾雑物が絡み付き難く、処理効率を向上することが可能となる。
【発明を実施するための最良の形態】
【００１４】
図１〜図４は、本発明の一実施形態を示すもので、図１は、本発明の一実施形態に係る夾雑物処理装置のスクリーン装置の正面図、図２は、図１に示すスクリーン装置の右側面図、図３は、図１及び図２中の遊星歯車機構を示す右側面図、図４は、図１及び図２中の外歯車及びレーキが移動する軌跡をバースクリーンと共に示す平面図である。
【００１５】
この一実施形態のスクリーン装置４３にあっては、図４に示すように、上下方向（図４における紙面垂直方向）に互いに離間して並設される複数のバースクリーン２４５が、平面視において、前面側２４５ａが略楕円形状の短軸側形状を成すと共に前面側２４５ａに続く破砕機側の側面側２４５ｂが破砕機（不図示）に夾雑物を導く形状を成し、且つ、裏面側が開放される構造とされている。
【００１６】
そして、このバースクリーン２４５の裏面側には、図１、図２及び図４に示すように、レーキ４６と、レーキ４６を所定に駆動する遊星歯車機構２００と、この遊星歯車機構２００を支持する基台１９０と、が配設されている。
【００１７】
基台１９０は、枠体（不図示）内に配置され、枠体の底壁に固定される土台部１９０ａと、図２に示すように、土台部１９０ａに立設され側面視コの字形状を成す支持柱１９０ｂと、を備えている。
【００１８】
この支持柱１９０ｂのコの字形状を構成する上部の前面側への突出部１９０ｄには、図１〜図３に示すように、縦型電動機５０が設置され、この電動機５０の出力軸に連結される駆動軸２５１の回転駆動力が、遊星歯車機構２００に伝達される。
【００１９】
遊星歯車機構２００は、図３に示すように、その中心を駆動軸２５１が挿通するように配設される太陽歯車２０１と、この太陽歯車２０１より外側に配設される外歯車２０２と、両歯車２０１，２０２に噛合するように配設される遊星歯車２０３と、これらの歯車２０１〜２０３を支持すると共に、電動機５０の回転駆動力が駆動軸２５１を介して伝達されて太陽歯車２０１を中心として回転駆動されるキャリヤ２０４と、を備えている。
【００２０】
また、遊星歯車機構２００を構成する外歯車２０２の回転が伝達される外歯車軸２０５には、図１及び図２に示すように、その下部に、半径方向外方に張り出すと共に下方に延在する移動体としてのレーキ取付板２０６が固定され、このレーキ取付板２０６に上記レーキ４６が上下方向に互いに離間して取り付けられている。
【００２１】
このように構成されたスクリーン装置４３によれば、電動機５０が駆動されると、駆動軸２５１が、図４における反時計方向に回転し、遊星歯車機構２００の作用により、外歯車２０２は、図４に一点鎖線の軌跡Ｅで示すように、平面視円形状の周回軌道を反時計回りに移動し、この外歯車２０２の移動により、レーキ４６は、その先端部が、図４に仮想線の軌跡Ｄで示すように、平面視楕円形状で短軸側が前面側を向く周回軌道を時計回りに移動する。
【００２２】
ここで、レーキ４６は、バースクリーン前面側２４５ａを向いている場合には、バースクリーン前面側２４５ａの目の間に位置し、図４に示すように、その先端部が、バースクリーン前面側２４５ａの外周縁から突出する状態とされている。
【００２３】
従って、電動機５０の駆動に従って、レーキ４６が前面側を移動すると、レーキ４６は、その先端部が、図４に軌跡Ｄで示すように、バースクリーン２４５の前面側２４５ａの外周縁から突出した状態で楕円軌道の移動を続け、このレーキ４６の楕円軌道の移動により、バースクリーン前面側２４５ａに塞き止められて捕集された夾雑物が、破砕機側へ向けて掻き寄せられていく。
【００２４】
そして、図１に仮想線で示すように、レーキ４６の先端部が、楕円軌道の破砕機側近くになると、図４に軌跡Dで示すように、バースクリーン２４５の側面側２４５ｂの外周縁で破砕機直前の外周縁から徐々に没入していき、このレーキ４６の没入動作により、レーキ４６により掻き寄せられた夾雑物は、レーキ４６から容易に分離されて破砕機へ円滑に導入される。
【００２５】
このように、本実施形態においては、バースクリーン２４５は、前面側２４５ａが略楕円形状の短軸側形状とされると共に当該前面側２４５ａに続く破砕機側の側面側２４５ｂが破砕機へ夾雑物を導く形状を成し、各レーキ４６の出没に干渉しないその両端部側が支持されているため、スクリーンを円弧形状（半円形状）として両端部側を支持する場合に比して当該スクリーンが撓み難く、スクリーンの長尺化が図られている。このため、水路幅を狭くする等の措置を施すことなく、幅広水路に対する適用が可能とされている。そして、このような幅広水路に適用することで、例えば２００ｍ３／分程度の大流量の処理が可能とされている。
【００２６】
また、バースクリーン２４５は移動せずに固定されているため、従来の移動式に比して剛性が高められている。このため、耐久性が向上されている。また、バースクリーン２４５の裏面側は開放されているため、スクリーンには夾雑物が滞留しないと共に被処理水が容易に通過し、且つ、バースクリーン２４５は網状ではなく当該バースクリーン２４５に捕集された夾雑物はレーキ４６により掻き寄せられるため、バースクリーン２４５には夾雑物が絡み付き難くされている。このため、夾雑物処理装置の処理効率が従来に比して向上されている。
【図面の簡単な説明】
【００２７】
【図１】本発明の一実施形態に係る夾雑物処理装置のスクリーン装置の正面図である。
【図２】図１に示すスクリーン装置の右側面図である。
【図３】図１及び図２中の遊星歯車機構を示す右側面図である。
【図４】図１及び図２中の外歯車及びレーキが移動する軌跡をバースクリーンと共に示す平面図である。
【符号の説明】
【００２８】
４３…スクリーン装置、４６…レーキ、２４５…バースクリーン、２４５ａ…バースクリーン前面側、２４５ｂ…バースクリーン側面側、２００…遊星歯車機構、２０１…太陽歯車、２０２…外歯車、２０３…遊星歯車、２０４…キャリヤ、２０６…レーキ取付板（移動体）。
【図１】
2006212631.tif 000003
【図２】
2006212631.tif 000004
【図３】
2006212631.tif 000005
【図４】
2006212631.tif 000006